(57)【要約】【課題】  製作コストが安く、かつ設置・撤去が簡単な仮締切構造体および仮締切函体の設置方法を提供することである。【解決手段】  本発明の仮締切構造体１は、上下両面および前面側が開口された仮締切函体２を、前面側の開口を下側に向け、かつ一端部側を中心に回転できるように水上運搬物３に設置し、該水上運搬物３が仮締切函体２の周囲に設置されたものである。【選択図】図１
2005213803.tif 000002
【特許請求の範囲】
【請求項１】
上下両面のうちの少なくとも一方および前面側が開口された仮締切函体を、水平でかつ一端部側を中心に回転できるように水上運搬物に設置し、該水上運搬物が仮締切函体の周囲に設置されたことを特徴とする仮締切構造体。
【請求項２】
水上運搬物は、小型作業台船または組立型フロートであり、仮締切函体を両側から挟むようにして支持していることを特徴とする請求項１に記載の仮締切構造体。
【請求項３】
仮締切函体は水上運搬物に移動手段を介して設置され、該移動手段によって両側の水上運搬物の間を水平移動することを特徴とする請求項２に記載の仮締切構造体。
【請求項４】
移動手段は、水上運搬物の側面に設置されたレールと、仮締切函体に設置されたガイドとからなり、該ガイドがレールに滑走自在に設置されたことを特徴とする請求項３に記載の仮締切構造体。
【請求項５】
上下両面のうちの少なくとも一方および前面側が開口された仮締切函体を、水平でかつ一端部側を中心に回転できるように水上運搬物に設置し、該水上運搬物で仮締切函体を水中構造物の補修箇所まで水上運搬した後、仮締切函体を、一端部を中心に回転させて開口部が前面側に位置するように垂直にして水中構造物の補修箇所に設置することを特徴とする仮締切函体の設置方法。
【請求項６】
水上運搬物で一対の仮締切函体を水中構造物の補修箇所まで水上運搬した後、これらの仮締切函体を、一端部を中心に回転させて開口が前面側に位置するように垂直にした後、該垂直にした仮締切函体同士を、水中構造物の補修箇所を囲むように接合することを特徴とする請求項５に記載の仮締切函体の設置方法。
【発明の詳細な説明】
【技術分野】
【０００１】
本発明は仮締切構造体および仮締切函体の設置方法に関するものである。
【背景技術】
【０００２】
仮締切構造体および仮締切函体の設置方法としては、例えば特開２００２−２０１６４９号公報の発明がある。この発明は、水密性を備えた二重壁構造の仮締切函体を使用しているため、函体自身が有する浮力を利用して容易に水上を曳航運搬することが可能である。
また函体内部にバラスト水を注排水することにより、函体の沈設・浮上作業が可能であることから、クレーン船などの大型作業船を必要とせずに、仮締切函体の水中構造物への設置・撤去が可能であった。
【特許文献１】特許２００２−２０１６４９号公報
【発明の開示】
【発明が解決しようとする課題】
【０００３】
しかし、上記の仮締切構造体および仮締切函体の設置方法は、二重壁構造であるため、部材断面が大きくなって製作コストが高くなるという問題があった。また函体内部にバラスト水を注排水するための設備を必要とするばかりでなく、この設備を使用した難易度の高いバランス調整および喫水調整が必要となる。さらに、分割して水上運搬された仮締切壁体の水上での接合作業が困難であるという問題があった。
【０００４】
本発明は上記のような問題に鑑みてなされたものであり、その目的は、製作コストが安く、かつ設置・撤去が簡単な仮締切構造体および仮締切函体の設置方法を提供することである。
【課題を解決するための手段】
【０００５】
本発明の仮締切構造体は、上下両面のうちの少なくとも一方および前面側が開口された仮締切函体を、水平でかつ一端部側を中心に回転できるように水上運搬物に設置し、該水上運搬物が仮締切函体の周囲に設置されたことを特徴とする。また水上運搬物は、小型作業台船または組立型フロートであり、仮締切函体を両側から挟むようにして支持していることを含む。また仮締切函体は水上運搬物に移動手段を介して設置され、該移動手段によって両側の水上運搬物の間を水平移動することを含む。また移動手段は、水上運搬物の側面に設置されたレールと、仮締切函体に設置されたガイドとからなり、該ガイドがレールに滑走自在に設置されたことを含むものである。
また仮締切函体の設置方法は、上下両面のうちの少なくとも一方および前面側が開口された仮締切函体を、水平でかつ一端部側を中心に回転できるように水上運搬物に設置し、該水上運搬物で仮締切函体を水中構造物の補修箇所まで水上運搬した後、仮締切函体を、一端部を中心に回転させて開口が前面側に位置するように垂直にして水中構造物の補修箇所に設置することを特徴とする。また水上運搬物で一対の仮締切函体を水中構造物の補修箇所まで水上運搬した後、これらの仮締切函体を、一端部を中心に回転させて開口が前面側に位置するように垂直にした後、該垂直にした仮締切函体同士を、水中構造物の補修箇所を囲むように接合することを特徴とするものである。
【発明の効果】
【０００６】
仮締切構造体の製作コストの低減を図ることができる。水上運搬物を作業床として、安定した状況のもとで仮締切函体の位置出し、あるいは吊り降ろし、吊り上げが可能であるため施工性および安全性が高い。バラスト水の調整、喫水調整などの作業を必要としない。仮締切函体の水上接合時における水平面および鉛直面の位置合わせが容易になる。クレーン台船などの大型機械を必要とせずに仮締切函体の位置出し、あるいは吊り降ろし、吊り上げが可能である。
【発明を実施するための最良の形態】
【０００７】
以下、本発明の仮締切構造体および仮締切函体の設置方法について説明する。はじめに仮締切構造体について説明し、この後に、仮締切函体の設置方法について説明するが、各実施の形態において同じ構成は同じ符号を付して説明し、異なった構成は異なった符号を付して説明する。また図１〜図５は仮締切構造体を説明する図であり、図６〜図１６はこの仮締切構造体を使用して仮締切函体を設置する方法について説明する図である。
【０００８】
仮締切構造体１は、図１に示すように、仮締切函体２と、この仮締切函体２を挟むようにして両側に設置された水上運搬物３とから構成されている。この仮締切函体２は前面側の開口を下側に向けた状態、すなわち水平にした状態でガイド４とレール５とからなる移動手段６と、接合突起７と接合突起受け８とからなる固定手段９とで水上運搬物３に固定され、図１に示すように、海、河川、湖沼などの水上に浮揚させて水中構造物における補修・補強箇所まで水上運搬するものである。なお仮締切函体２は、上記のように、前面側の開口を下側に向けた状態に限らず、前面側の開口を上側に向けた状態で運搬することもできる。
【０００９】
また水上運搬物３は、組立型のフロート１０が適宜間隔をもって複数の連結材１１で連結されて構成され、フロート１０の内側にはレール５と、接合突起受け８とが設けられている。また連結材１１はフロート１０の上面に突出して設けられ、複数の縦材１２で互いに連結されている。この水上運搬物３は、上記のフロート１０に限らず、小型輸送台船であってもよく、小型輸送台船にする場合はレール５と接合突起受け８とは船の側壁に設ける。
【００１０】
一方、仮締切函体２は上下両面および前面側が開口した平面コ字形であり、Ｈ形綱１３の枠体１４にスキンプレート（鋼板）１５が張り付けられて構成されている。また仮締切函体２の側面にはガイド４と接合突起７とが、また前面および下面の接合面にはゴムパッキン１７とがそれぞれ設けられている。
【００１１】
また、ガイド４は、図４に示すように、内外のガイド板１８の間に滑走板１９が設置されて構成され、外側のガイド板１８が仮締切函体２の固定プレート２０にボルト２１で回転自在に接合されている。したがって、ガイド４がレール５に嵌合されると、滑走板１９でレール上を滑走するとともに、内外のガイド板１８がレール５からの脱線を防いでいる。また、レール５の一部にはレールユニット２２が取外自在に嵌め込まれ、同図の（４）に示すように、レールユニット２２を取り外してすり抜け間隙２３を形成すると、ここからガイド４を通過させることができる。
【００１２】
一方、接合突起７はＨ形綱で段付き形状に形成され、階段状の接合突起受け８に嵌合されてボルト２４で固定されている。したがって、仮締切函体２は移動手段６と固定手段９とで水上運搬物３に設置されているが、固定手段９の固定を解除すると、移動手段６によってフロート１０間を水平移動することができ、ガイド４のボルト２１を支軸に垂直回転させた後に、水平移動させる。
【００１３】
次に、この仮締切構造体１における仮締切函体２の設置方法について説明する。図６から図１３は橋脚２５などを囲むようにして仮締切函体２を設置するものである。
【００１４】
はじめに、図６に示すように、二つの仮締切構造体１を曳航船で水上運搬し、橋脚２５を間にして向かい合わせる。この仮締切構造体１はフロータ１０間に仮締切函体２を水平設置しているため、水の抵抗が少なく水上運搬が容易になる。
【００１５】
次に、図７に示すように、二つの仮締切構造体１を接合してフロート１０で橋脚２５を囲むようにする。このとき仮締切函体２は移動手段６と固定手段９とで水平固定され、この固定手段９側が吊りワイヤー２６で連結材１１に接続されている。
【００１６】
次に、図８に示すように、仮締切函体２の接合突起７をフロート１０の接合突起受け８から外すとともに、吊りワイヤー２６を少しずつ伸ばすと仮締切函体２がガイド４のボルト２１を支軸にして垂直に回転する。このとき仮締切函体２は橋脚２５を間にして向かい合った状態、すなわち仮締切函体２で橋脚２５を囲めるようになっており、この向かい合った仮締切函体２には、先端にガイドローラー２７を備えた切梁２８が予め設置されている。
【００１７】
次に、図９に示すように、この向かい合った仮締切函体２から吊りワイヤー２６を取り外すとともに、この仮締切函体２を水平移動させて橋脚２５を囲むように接合してボルト２４で固定する。このとき仮締切函体２はフロート１０に設置されたままである。
【００１８】
次に、図１０および図１１に示すように、仮締切函体２を吊りワイヤー２６で吊り上げて、ガイド４とレールユニットとをレールから取り外して、レール５にすり抜け間隙２３を形成する。次に、吊りワイヤー２６を少しずつ伸ばしながら仮締切函体２を下側に降ろすと、ガイド４がすり抜け間隙２３を通ってレール５から外れるとともに、仮締切函体２が橋脚２５のフーチング２９上に設置される。
【００１９】
次に、図１２に示すように、切梁２８のガイドローラー２７をジャッキ３０に取り替えるとともに、橋脚２５を囲むように設置された仮締切函体２の内側における水を排水して、ドライな作業空間を形成した後、フーチング２９上に設置された仮締切函体２から切り離されたフロート１０を、別の場所に曳航する。
【００２０】
また図１３から図１６は、岸壁の壁面に仮締切函体を設置する方法であり、ほとんど上記の設置方法と同じである。これは岸壁３１の壁面にドライな空間を形成するため、底板３２を備えた一つの仮締切函体３３、すなわち上面と前面だけが開口した仮締切函体２を使用する。
【００２１】
はじめに、上記と同じように、仮締切構造体１、すなわちフロート１０間に水平設置した仮締切函体３３を岸壁３１の近傍にまで曳航船で水上運搬するとともに、岸壁３１からの引き寄せワイヤー３４をフロート１０に接合する（図１３参照）。
【００２２】
次に、図１４に示すように、フロート１０を引き寄せワイヤー３４で岸壁３１に引き寄せて壁面に密着させるとともに、水平の仮締切函体３３を垂直に回転させる。この仮締切函体２の回転は上記と同じ手順で行う。
【００２３】
次に、図１５に示すように、垂直にした仮締切函体３３をガイド４で水平移動させるとともに、前記と同じ手順で仮締切函体３３をフロートから切り離して、岸壁３１の壁面に密着させる。そして、このフロートを足場にして、仮締切函体２の内側における水を排水してドライな作業空間を形成する。
【００２４】
次に、図１６に示すように、仮締切函体３３が切り離されたフロート１０を別の場所に曳航すると、岸壁の外面にドライな作業空間が形成される。
【図面の簡単な説明】
【００２５】
【図１】仮締切構造体であり、（１）は正面図、（２）は平面図である。
【図２】仮締切構造体であり、（１）は側面図、（２）はフロートの側面図である。
【図３】仮締切函体であり、（１）はＡ−Ａ線断面図、（２）正面図、（３）はＢ−Ｂ線断面図である。
【図４】移動手段であり、（１）はレールに嵌合したガイドの正面図、（２）は同平面図、（３）は同側面図、（４）はガイドをレールからの取り外した図である。
【図５】固定手段であり、（１）は正面図、（２）はＣ−Ｃ線断面図、（３）は平面図である。
【図６】（１）は橋脚を挟んだ仮締切構造体の平面図、（２）は（１）の断面図である。
【図７】（１）はフロートを接合した仮締切構造体の平面図、（２）は（１）の断面図、（３）は要部の拡大断面図である。
【図８】（１）は仮締切函体を回転させた仮締切構造体の平面図、（２）は（１）の断面図、（３）は要部の拡大断面図である。
【図９】（１）は仮締切函体を接合した仮締切構造体の平面図、（２）は要部拡大図、（３）は（１）の断面図、（４）は要部の拡大断面図である。
【図１０】（１）は仮締切函体を吊り上げた断面図、（２）はレールの要部拡大図である。
【図１１】（１）はガイドをレールから取り外した断面図、（２）は要部拡大図である。
【図１２】（１）は仮締切函体をフーチングに設置した平面図、（２）は（１）の断面図、（３）は仮締切函体の内側における水を排水した断面図である。
【図１３】（１）は岸壁の近傍に曳航した仮締切構造体の平面図、（２）は（１）の側面図である。
【図１４】（１）は仮締切函体を垂直に回転させた仮締切構造体の平面図、（２）は（１）の断面図である。
【図１５】（１）は仮締切函体を岸壁の壁面に当接した仮締切構造体の平面図、（２）は（１）の断面図である。
【図１６】（１）は仮締切函体を岸壁の壁面に当接した平面図、（２）は（１）の断面図である。
【符号の説明】
【００２６】
１  仮締切構造体
２、３３  仮締切函体
３  水上運搬物
４  ガイド
５  レール
６  移動手段
７  接合突起
８  接合突起受け
９  固定手段
１０  フロート
１１  連結材
１２  縦材
１３  Ｈ形綱
１４  枠材
１５  スキンプレート
１７  ゴムパッキン
１８  ガイド板
１９  滑走板
２０  固定プレート
２１、２４  ボルト
２２  レールユニット
２３  すり抜け間隙
２５  橋脚
２６  吊りワイヤー
２７  ガイドローラー
２８  切梁
２９  フーチング
３０  ジャッキ
３１  岸壁
３２  底板
３４  引き寄せワイヤー
【図１】
2005213803.tif 000003
【図２】
2005213803.tif 000004
【図３】
2005213803.tif 000005
【図４】
2005213803.tif 000006
【図５】
2005213803.tif 000007
【図６】
2005213803.tif 000008
【図７】
2005213803.tif 000009
【図８】
2005213803.tif 000010
【図９】
2005213803.tif 000011
【図１０】
2005213803.tif 000012
【図１１】
2005213803.tif 000013
【図１２】
2005213803.tif 000014
【図１３】
2005213803.tif 000015
【図１４】
2005213803.tif 000016
【図１５】
2005213803.tif 000017
【図１６】
2005213803.tif 000018